(57)【要約】【課題】データを選択的に読み書き装置に送信することの可能な送受信システム、情報処理端末、読み書き装置、プログラムを提供する。【解決手段】  読み書き装置１７０と情報処理端末１００とからなる無線通信システムであって、読み書き装置１７０は、読み出し命令を送信する命令送信手段１７４と、読み出し命令に応じたデータを受信するデータ受信手段１７２とを備え、情報処理端末１００は、複数のデータ領域にそれぞれデータを記憶可能なデータ記憶手段１２４と、ユーザに所望するデータ領域を選択させるデータ領域選択手段と、読み出し命令を受信する命令受信手段１１４と、読み出し命令が指定するデータ領域をデータ領域選択手段で選択されたデータ領域に変更し、変更されたデータ領域のデータを読み出すデータ読み出し手段１２０と、読み出されたデータを読み書き装置１７０に送信するデータ送信手段１１２とを備える送受信システムが提供される。【選択図】    図１
2007316869.tif 000002
【特許請求の範囲】
【請求項１】
読み書き装置と、前記読み書き装置と非接触式に無線通信可能な情報処理端末とからなる無線通信システムであって：
前記読み書き装置は、
前記情報処理端末の特定のデータ領域のデータを読み出すための読み出し命令を送信する命令送信手段と；
前記情報処理端末から送信される、前記読み出し命令に応じたデータを受信するデータ受信手段と；
を備え、
前記情報処理端末は、
複数のデータ領域にそれぞれデータを記憶可能なデータ記憶手段と；
ユーザに前記複数のデータ領域から所望するデータ領域を選択させるデータ領域選択手段と；
前記読み書き装置から送信される前記読み出し命令を受信する命令受信手段と；
前記読み書き装置から送信される前記読み出し命令が指定する、前記情報処理端末の特定のデータ領域を、データ領域選択手段で選択されたデータ領域に変更し、前記変更されたデータ領域のデータを読み出すデータ読み出し手段と；
前記データ記憶手段から読み出されたデータを、前記読み書き装置に送信するデータ送信手段と；
を備えることを特徴とする、送受信システム。
【請求項２】
読み書き装置と非接触式に無線通信可能な情報処理端末であって：
複数のデータ領域にそれぞれデータを記憶可能なデータ記憶手段と；
ユーザに前記複数のデータ領域から所望するデータ領域を選択させるデータ領域選択手段と；
前記読み書き装置から送信される前記読み出し命令を受信する命令受信手段と；
前記読み書き装置から送信される前記読み出し命令が指定する、前記情報処理端末の特定のデータ領域を、データ領域選択手段で選択されたデータ領域に変更し、前記変更されたデータ領域のデータを読み出すデータ読み出し手段と；
前記データ記憶手段から読み出されたデータを、前記読み書き装置に送信するデータ送信手段と；
を備えることを特徴とする、情報処理端末。
【請求項３】
選択信号保持手段をさらに備え、
前記データ領域選択手段は、前記ユーザにより選択されたデータ領域を表す選択信号を生成し、前記選択信号保持手段は、前記選択信号を保持し、前記読み出し手段は、前記読み出し命令が指定する前記情報処理端末の特定のデータ領域を、前記選択信号保持手段で保持された前記選択信号に基づいて変更し、前記変更されたデータ領域のデータを読み出すことを特徴とする、請求項２に記載の情報処理端末。
【請求項４】
前記データ領域選択手段は、前記ユーザにより選択されたデータ領域を表す選択信号を生成可能な選択用操作入力デバイスであることを特徴とする、請求項２に記載の情報処理端末。
【請求項５】
前記情報処理端末は、ＩＣカードであることを特徴とする、請求項４に記載の情報処理端末。
【請求項６】
前記情報処理端末が備える汎用の操作入力デバイスを、前記データ領域選択手段として用い、前記汎用の操作入力デバイスは、前記ユーザにより選択されたデータ領域を表す選択信号を生成可能であることを特徴とする、請求項２に記載の情報処理端末。
【請求項７】
前記データ領域選択手段として、さらに、選択信号を生成可能な選択用操作入力デバイスを備え、
前記読み出し手段は、前記読み出し命令が指定する前記情報処理端末の特定のデータ領域を、前記汎用の操作入力デバイスから生成された選択信号、または、前記選択用操作入力デバイスから生成された選択信号のいずれか一方に基づいて変更し、前記変更されたデータ領域のデータを読み出すことを特徴とする、請求項６に記載の情報処理端末。
【請求項８】
前記情報処理端末は、携帯型通信装置であることを特徴とする、請求項６に記載の情報処理端末。
【請求項９】
情報処理端末と非接触式に無線通信可能な読み書き装置であって：
前記情報処理端末の特定のデータ領域に記憶されるデータを読み出すための読み出し命令を送信する命令送信手段と；
前記読み出し命令が指定する前記情報処理端末の特定のデータ領域以外のデータ領域のデータを、選択的に読み出すことが可能な前記情報処理端末から送信される、データを受信可能なデータ受信手段と；
を備えることを特徴とする、読み書き装置。
【請求項１０】
読み書き装置と情報処理端末とのデータの送受信を非接触式に行うことが可能な無線データ通信に用いられるプログラムであって：
複数のデータ領域にそれぞれデータを記憶する手段；
データ領域を選択するための選択信号を生成する手段；
前記読み書き装置から送信される、特定のデータ領域に保存されているデータを読み出す読み出し命令を受信する手段；
前記読み出し命令が指定する、特定のデータ領域を、前記選択信号に応じて変更し、前記変更されたデータ領域のデータを読み出す手段；
読み出されたデータを、前記読み書き装置に送信するする手段；
としてコンピュータを機能させるためのプログラム。
【請求項１１】
読み書き装置と、前記読み書き装置と非接触式に無線通信可能な情報処理端末とからなる無線通信システムであって：
前記読み書き装置は、
前記情報処理端末の特定のデータ領域へデータを書き込むための書き込み命令とデータとを送信する命令送信手段と；
前記情報処理端末から送信される、前記書き込み命令に応じた応答データを受信するデータ受信手段と；
を備え、
前記情報処理端末は、
複数のデータ領域にそれぞれデータを記憶可能なデータ記憶手段と；
ユーザに前記複数のデータ領域から所望するデータ領域を選択させるデータ領域選択手段と；
前記読み書き装置から送信される前記書き込み命令と前記データとを受信する命令受信手段と；
前記読み書き装置から送信される前記書き込み命令が指定する、前記情報処理端末の特定のデータ領域を、データ領域選択手段で選択されたデータ領域に変更し、前記変更されたデータ領域へ前記データを書き込む、データ書き込み手段と；
前記データ記憶手段へのデータの書き込みに応じた応答データを、前記読み書き装置に送信するデータ送信手段と；
を備えることを特徴とする、送受信システム。
【請求項１２】
読み書き装置と非接触式に無線通信可能な情報処理端末であって：
複数のデータ領域にそれぞれデータを記憶可能なデータ記憶手段と；
ユーザに前記複数のデータ領域から所望するデータ領域を選択させるデータ領域選択手段と；
前記読み書き装置から送信される前記書き込み命令と前記データとを受信する命令受信手段と；
前記読み書き装置から送信される前記書き込み命令が指定する、前記情報処理端末の特定のデータ領域を、データ領域選択手段で選択されたデータ領域に変更し、前記変更されたデータ領域へ前記データを書き込む、データ書き込み手段と；
前記データ記憶手段へのデータの書き込みに応じた応答データを、前記読み書き装置に送信するデータ送信手段と；
を備えることを特徴とする、情報処理端末。
【請求項１３】
選択信号保持手段をさらに備え、
前記データ領域選択手段は、前記ユーザにより選択されたデータ領域を表す選択信号を生成し、前記選択信号保持手段は、前記選択信号を保持し、前記書き込み手段は、前記書き込み命令が指定する前記情報処理端末の特定のデータ領域を、前記選択信号保持手段で保持された前記選択信号に基づいて変更し、前記変更されたデータ領域へ前記データを書き込むことを特徴とする、請求項１２に記載の情報処理端末。
【請求項１４】
前記データ領域選択手段は、前記ユーザにより選択されたデータ領域を表す選択信号を生成可能な選択用操作入力デバイスであることを特徴とする、請求項１２に記載の情報処理端末。
【請求項１５】
前記情報処理端末は、ＩＣカードであることを特徴とする、請求項１４に記載の情報処理端末。
【請求項１６】
前記情報処理端末が備える汎用の操作入力デバイスを、前記データ領域選択手段として用い、前記汎用の操作入力デバイスは、前記ユーザにより選択されたデータ領域を表す選択信号を生成可能であることを特徴とする、請求項１２に記載の情報処理端末。
【請求項１７】
前記データ領域選択手段として、さらに、選択信号を生成可能な選択用操作入力デバイスを備え、
前記書き込み手段は、前記書き込み命令が指定する前記情報処理端末の特定のデータ領域を、前記汎用の操作入力デバイスから生成された選択信号、または、前記選択用操作入力デバイスから生成された選択信号のいずれか一方に基づいて変更し、前記変更されたデータ領域へ前記データを書き込むことを特徴とする、請求項１６に記載の情報処理端末。
【請求項１８】
前記情報処理端末は、携帯型通信装置であることを特徴とする、請求項１６に記載の情報処理端末。
【請求項１９】
情報処理端末と非接触式に無線通信可能な読み書き装置であって：
前記情報処理端末の特定のデータ領域にデータを書き込むための書き込み命令とデータとを送信する命令送信手段と；
前記書き込み命令が指定する前記情報処理端末の特定のデータ領域以外のデータ領域へ、選択的に前記データを書き込むことが可能な前記情報処理端末から送信される、前記書き込み命令に応じた応答データを受信可能なデータ受信手段と；
を備えることを特徴とする、読み書き装置。
【請求項２０】
読み書き装置と情報処理端末とのデータの送受信を非接触式に行うことが可能な無線データ通信に用いられるプログラムであって：
複数のデータ領域にそれぞれデータを記憶する手段；
データ領域を選択するための選択信号を生成する手段；
前記読み書き装置から送信される、特定のデータ領域へデータを書き込む書き込み命令とデータとを受信する手段；
前記書き込み命令が指定する、特定のデータ領域を、前記選択信号に応じて変更し、前記変更されたデータ領域へ前記データを書き込む手段；
前記データの書き込みに応じた応答データを、前記読み書き装置に送信するする手段；
としてコンピュータを機能させるためのプログラム。
【発明の詳細な説明】
【技術分野】
【０００１】
本発明は、送受信システム、情報処理端末、読み書き装置、およびプログラムに関する。
【背景技術】
【０００２】
近年、非接触型ＩＣ（Integrated  Circuit）カードや、ＩＣカードチップを搭載した携帯電話をはじめとする携帯型通信装置など、読み書き装置と非接触式に無線通信可能な、非接触型の情報処理端末が普及している。そして、これらの情報処理端末を利用した送受信システムは、自動改札機や自動販売機などに適用されている。
【０００３】
上記のような送受信システムは、無線通信によりデータの送受信を行うため、第三者にデータを盗まれる危険性を孕んでいる。したがって、セキュリティの観点から、上記のような送受信システムには、通信の暗号化など、様々なセキュリティ技術が用いられている。
【０００４】
このような中、非接触式に通信可能な送受信システムを構成する情報処理端末に、無線／有線通信を切り換える入力デバイスや、生体認証用の入力デバイスを設け、送受信システムのさらなるセキュリティの向上を図る試みがなされている。
【０００５】
無線／有線通信を切り換える入力デバイスを、非接触式に通信可能な送受信システムを構成する情報処理端末に適用する技術としては、例えば、下記に示す特許文献１が挙げられる。また、生体認証用の入力デバイスを、非接触式に通信可能な送受信システムを構成する情報処理端末に適用する技術としては、例えば、下記に示す特許文献２、特許文献３が挙げられる。
【０００６】
【特許文献１】特開２００３−第２２３６１８号公報
【特許文献２】特開２００５−第３５２９３１号公報
【特許文献３】特開２００６−第１８５４２号公報
【発明の開示】
【発明が解決しようとする課題】
【０００７】
しかしながら、従来の情報処理端末に備えられる入力デバイスは、通信方式を切り換えたり、認証を介して特定の機能を有効化／無効化するものに過ぎないため、従来の送受信システムにおいて送受信されるデータは、従来の読み書き装置からの要求に一対一にしか対応できない。したがって、入力デバイスを備える従来の情報処理端末は、情報処理端末を使用する使用者（以下、「ユーザ」という。）が所望するデータを、選択的に読み書き装置に送信することはできない。
【０００８】
そこで、本発明は、上記問題に鑑みてなされたものであり、本発明の目的とするところは、ユーザが所望するデータを、選択的に読み書き装置に送信することの可能な、新規かつ改良された送受信システム、情報処理端末、読み書き装置、およびプログラムを提供することにある。
【課題を解決するための手段】
【０００９】
上記目的を達成するために、本発明の第１の観点によれば、読み書き装置と、上記読み書き装置と非接触式に無線通信可能な情報処理端末とからなる無線通信システムであって、上記読み書き装置は、上記情報処理端末の特定のデータ領域のデータを読み出すための読み出し命令を送信する命令送信手段と、上記情報処理端末から送信される、上記読み出し命令に応じたデータを受信するデータ受信手段とを備え、上記情報処理端末は、複数のデータ領域にそれぞれデータを記憶可能なデータ記憶手段と、ユーザに上記複数のデータ領域から所望するデータ領域を選択させるデータ領域選択手段と、上記読み書き装置から送信される上記読み出し命令を受信する命令受信手段と、上記読み書き装置から送信される上記読み出し命令が指定する、上記情報処理端末の特定のデータ領域を、データ領域選択手段で選択されたデータ領域に変更し、上記変更されたデータ領域のデータを読み出すデータ読み出し手段と、上記データ記憶手段から読み出されたデータを、上記読み書き装置に送信するデータ送信手段とを備える送受信システムが提供される。
【００１０】
送受信システムを構成する上記読み書き装置は、少なくとも命令送信手段とデータ受信手段とを備える。命令送信手段は、送受信システムを構成する上記情報処理端末の特定のデータ領域のデータを読み出すための読み出し命令を送受信システムを構成する上記情報処理端末へ送信する。データ受信手段は、送受信システムを構成する上記情報処理端末から送信される、読み出し命令に応じたデータを受信する。ここで、当該読み出し命令に応じたデータは、読み出し命令が指定する送受信システムを構成する上記情報処理端末の特定のデータ領域のデータに限られない。
【００１１】
また、送受信システムを構成する上記情報処理端末は、データ記憶手段と、データ領域選択手段と、命令受信手段と、データ読み出し手段と、データ送信手段とを備える。データ記憶手段は、複数のデータ領域にそれぞれデータを記憶することができる。当該データ記憶手段は、階層構造をとってデータを記憶してもよい。データ領域選択手段は、ユーザに上記複数のデータ領域から所望するデータ領域を選択させる役割を果たす。命令受信手段は、送受信システムを構成する上記読み書き装置から送信される読み出し命令を受信する。データ読み出し手段は、読み出し命令が指定する、送受信システムを構成する上記情報処理端末の特定のデータ領域を、データ領域選択手段で選択されたデータ領域に変更し、当該変更されたデータ領域のデータを読み出す。ここで、データ領域選択手段でデータ領域が選択されていない場合や、データ領域選択手段で選択されたデータ領域と読み出し命令が指定する特定のデータ領域とが同一の場合は、読み出し命令が指定する特定のデータ領域のデータを読み出す。データ送信手段は、上記データ記憶手段から読み出されたデータを、送受信システムを構成する上記読み書き装置に送信する。上述した読み書き装置と情報処理端末とにより、送受信システムが構成される。
【００１２】
また、上記目的を達成するために、本発明の第２の観点によれば、読み書き装置と非接触式に無線通信可能な情報処理端末であって、複数のデータ領域にそれぞれデータを記憶可能なデータ記憶手段と、ユーザに上記複数のデータ領域から所望するデータ領域を選択させるデータ領域選択手段と、上記読み書き装置から送信される上記読み出し命令を受信する命令受信手段と、上記読み書き装置から送信される上記読み出し命令が指定する、上記情報処理端末の特定のデータ領域を、データ領域選択手段で選択されたデータ領域に変更し、上記変更されたデータ領域のデータを読み出すデータ読み出し手段と、上記データ記憶手段から読み出されたデータを、上記読み書き装置に送信するデータ送信手段とを備える情報処理端末が提供される。
【００１３】
上記情報処理端末は、データ記憶手段と、データ領域選択手段と、命令受信手段と、データ読み出し手段と、データ送信手段とを備える。データ記憶手段は、複数のデータ領域にそれぞれデータを記憶することができる。当該データ記憶手段は、階層構造をとってデータを記憶してもよい。データ領域選択手段は、ユーザに上記複数のデータ領域から所望するデータ領域を選択させる役割を果たす。命令受信手段は、上記読み書き装置から送信される読み出し命令を受信する。データ読み出し手段は、読み出し命令が指定する、上記情報処理端末の特定のデータ領域を、データ領域選択手段で選択されたデータ領域に変更し、当該変更されたデータ領域のデータを読み出す。ここで、データ領域選択手段でデータ領域が選択されていない場合や、データ領域選択手段で選択されたデータ領域と読み出し命令が指定する特定のデータ領域とが同一の場合は、読み出し命令が指定する特定のデータ領域のデータを読み出す。データ送信手段は、上記データ記憶手段から読み出されたデータを、上記読み書き装置に送信する。
【００１４】
また、選択信号保持手段をさらに備え、上記データ領域選択手段は、上記ユーザにより選択されたデータ領域を表す選択信号を生成し、上記選択信号保持手段は、上記選択信号を保持し、上記読み出し手段は、上記読み出し命令が指定する上記情報処理端末の特定のデータ領域を、上記選択信号保持手段で保持された上記選択信号に基づいて変更し、上記変更されたデータ領域のデータを読み出すとしてもよい。
【００１５】
情報処理端末は、選択信号保持手段をさらに備える。データ領域選択手段は、ユーザにより選択されたデータ領域を表す選択信号を生成する。ここで、当該選択信号は、例えば所定ビットのデジタル信号としてもよいし、アナログ信号としてもよい。上記選択信号保持手段は、上記選択信号を保持する。上記読み出し手段は、上記読み出し命令が指定する上記情報処理端末の特定のデータ領域を、上記選択信号保持手段で保持された上記選択信号に基づいて変更し、上記変更されたデータ領域のデータを読み出す。ここで、上記選択信号を、インデックス番号に置き換えて、当該インデックス番号に基づいて、データを読み出すデータ領域を変更してもよい。
【００１６】
また、上記データ領域選択手段は、上記ユーザにより選択されたデータ領域を表す選択信号を生成可能な選択用操作入力デバイスであるとしてもよい。
【００１７】
情報処理端末に選択用操作入力デバイスを設けることにより、ユーザが所望するデータを選択させることが可能となる。ここで、当該選択信号は、例えば所定ビットのデジタル信号としてもよいし、アナログ信号としてもよい。
【００１８】
また、上記情報処理端末は、ＩＣカードであるとしてもよい。
【００１９】
上述した、データ領域選択手段としてユーザにより選択されたデータ領域を表す選択信号を生成可能な選択用操作入力デバイスを備える情報処理端末の構成は、ＩＣカードに適用することができる。様々なデータを記憶することができ、また、プログラムを実行することが可能なＩＣカードに、選択用操作入力デバイスを備えることにより、購買における電子マネーバリューの選択的な切り替えや、入退室における実名／匿名認証の切り替えなど、様々なサービスにおいて、選択機能を活用することができる。
【００２０】
また、上記情報処理端末が備える汎用の操作入力デバイスを、上記データ領域選択手段として用い、上記汎用の操作入力デバイスは、上記ユーザにより選択されたデータ領域を表す選択信号を生成可能であるとしてもよい。
【００２１】
情報処理端末が備える他の用途でも用いることが可能な汎用の操作入力デバイスを、データ領域選択手段として用いることにより、情報処理端末に新規に操作入力デバイスを設けなくても選択信号を生成することができる。上記汎用の操作入力デバイスをデータ領域選択手段として用いる場合、上記汎用の操作入力デバイスをユーザが操作することにより、ユーザにより選択されたデータ領域を表す選択信号が生成される。ここで、当該選択信号は、例えば所定ビットのデジタル信号としてもよいし、アナログ信号としてもよい。
【００２２】
また、上記データ領域選択手段として、さらに、選択信号を生成可能な選択用操作入力デバイスを備え、上記読み出し手段は、上記読み出し命令が指定する上記情報処理端末の特定のデータ領域を、上記汎用の操作入力デバイスから生成された選択信号、または、上記選択用操作入力デバイスから生成された選択信号のいずれか一方に基づいて変更し、上記変更されたデータ領域のデータを読み出すとしてもよい。
【００２３】
情報処理端末は、情報処理端末が備える他の用途でも用いることが可能な汎用の操作入力デバイスを、データ領域選択手段として用いることに加えて、さらに、ユーザにより選択されたデータ領域を表す選択信号を生成可能な選択用操作入力デバイスを備えることができる。すなわち、選択信号は、少なくとも２系統の経路で生成可能となる。ここで、読み出し手段でデータ領域の変更に用いられる選択信号は、上記汎用の操作入力デバイス、または、上記選択用操作入力デバイスで生成された選択信号のいずれか一方が排他的に使用されてもよい。上記汎用の操作入力デバイス、または、上記選択用操作入力デバイスで生成された選択信号のいずれか一方を排他的に使用する方法は、少なくとも２系統の選択信号生成経路を含むデータ領域選択手段において、一つの選択信号生成経路を有効化した場合に、他の選択信号生成経路を無効化することで実現してもよいし、選択信号が複数生成されたとしても、選択信号を使用する段階で取捨選択してもよい。
【００２４】
なお、情報処理端末は、上記汎用の操作入力デバイス、または、上記選択用操作入力デバイスで生成された選択信号のいずれか一方を排他的に使用するのではなく、電圧の大きさやデジタル値などの所定の基準を用い、複数の選択信号の組み合わせを一つの選択信号として捉えて、データ領域の変更を行うことも可能である。当該情報処理端末においては、選択信号生成経路を複数備えるが、いずれの選択信号生成経路で生成された選択信号であるかによらず、読み出し手段は、一つの選択信号に基づいてデータ領域の変更を行い、変更されたデータ領域のデータを読み出す。
【００２５】
また、上記情報処理端末は、携帯型通信装置であるとしてもよい。
【００２６】
上述した他の用途でも用いることが可能な汎用の操作入力デバイスを備える情報処理端末の構成は、携帯型通信装置に適用することができる。携帯電話などの携帯型通信装置に選択機能を備えることにより、例えば、購買における電子マネーバリューの選択的な切り替え使用が可能となり、自動販売機や店舗における購買に活用することができる。ここで、汎用の操作入力デバイスとしては、例えば、ダイヤルボタン、通話ボタン、終話ボタン、ジョグダイヤルなどが挙げられる。
【００２７】
また、上記目的を達成するために、本発明の第３の観点によれば、情報処理端末と非接触式に無線通信可能な読み書き装置であって、上記情報処理端末の特定のデータ領域に記憶されるデータを読み出すための読み出し命令を送信する命令送信手段と、上記読み出し命令が指定する上記情報処理端末の特定のデータ領域以外のデータ領域のデータを、選択的に読み出すことが可能な上記情報処理端末から送信される、データを受信可能なデータ受信手段とを備える読み書き装置が提供される。
【００２８】
上記読み書き装置は、少なくとも命令送信手段とデータ受信手段とを備える。命令送信手段は、上記情報処理端末の特定のデータ領域のデータを読み出すための読み出し命令を上記情報処理端末へ送信する。データ受信手段は、上記情報処理端末から送信される、上記読み出し命令に応じたデータを受信する。ここで、当該読み出し命令に応じたデータは、上記読み出し命令が指定する上記情報処理端末の特定のデータ領域のデータに限られず、上記情報処理端末でデータを読み出すデータ領域が変更された結果、読み出されたデータであってもよい。
【００２９】
また、上記目的を達成するために、本発明の第４の観点によれば、読み書き装置と情報処理端末とのデータの送受信を非接触式に行うことが可能な無線データ通信に用いられるプログラムであって、複数のデータ領域にそれぞれデータを記憶する手段、データ領域を選択するための選択信号を生成する手段、上記読み書き装置から送信される、特定のデータ領域に保存されているデータを読み出す読み出し命令を受信する手段、上記読み出し命令が指定する、特定のデータ領域を、上記選択信号に応じて変更し、上記変更されたデータ領域のデータを読み出す手段、読み出されたデータを、上記読み書き装置に送信するする手段としてコンピュータを機能させるためのプログラムが提供される。
【００３０】
かかるプログラムを用いることにより、情報処理端末から読み書き装置へ、選択的にデータを送信することができる。
【００３１】
また、上記目的を達成するために、本発明の第５の観点によれば、読み書き装置と、上記読み書き装置と非接触式に無線通信可能な情報処理端末とからなる無線通信システムであって、上記読み書き装置は、上記情報処理端末の特定のデータ領域へデータを書き込むための書き込み命令とデータとを送信する命令送信手段と、上記情報処理端末から送信される、上記書き込み命令に応じた応答データを受信するデータ受信手段とを備え、上記情報処理端末は、複数のデータ領域にそれぞれデータを記憶可能なデータ記憶手段と、ユーザに上記複数のデータ領域から所望するデータ領域を選択させるデータ領域選択手段と、上記読み書き装置から送信される上記書き込み命令と上記データとを受信する命令受信手段と、上記読み書き装置から送信される上記書き込み命令が指定する、上記情報処理端末の特定のデータ領域を、データ領域選択手段で選択されたデータ領域に変更し、上記変更されたデータ領域へ上記データを書き込む、データ書き込み手段と、上記データ記憶手段へのデータの書き込みに応じた応答データを、上記読み書き装置に送信するデータ送信手段とを備える送受信システムが提供される。
【００３２】
送受信システムを構成する上記読み書き装置は、少なくとも命令送信手段とデータ受信手段とを備える。命令送信手段は、送受信システムを構成する上記情報処理端末の特定のデータ領域へデータを書き込むための書き込み命令とデータとを、送受信システムを構成する上記情報処理端末へ送信する。データ受信手段は、送受信システムを構成する上記情報処理端末から送信される、上記書き込み命令に応じた応答データを受信する。
【００３３】
また、送受信システムを構成する上記情報処理端末は、データ記憶手段と、データ領域選択手段と、命令受信手段と、データ書き込み手段と、データ送信手段とを備える。データ記憶手段は、複数のデータ領域にそれぞれデータを記憶することができる。当該データ記憶手段は、階層構造をとってデータを記憶してもよい。データ領域選択手段は、ユーザに上記複数のデータ領域から所望するデータ領域を選択させる役割を果たす。命令受信手段は、送受信システムを構成する上記読み書き装置から送信される上記書き込み命令とデータとを受信する。データ書き込み手段は、上記書き込み命令が指定する、送受信システムを構成する上記情報処理端末の特定のデータ領域を、データ領域選択手段で選択されたデータ領域に変更し、上記変更されたデータ領域へデータを書き込む。ここで、データ領域選択手段でデータ領域が選択されていない場合や、データ領域選択手段で選択されたデータ領域と上記書き込み命令が指定する特定のデータ領域とが同一の場合は、上記書き込み命令が指定する特定のデータ領域へデータを書き込む。データ送信手段は、上記データ記憶手段へのデータの書き込みに応じた応答データを、送受信システムを構成する上記読み書き装置に送信する。上述した読み書き装置と情報処理端末とにより、送受信システムが構成される。
【００３４】
また、上記目的を達成するために、本発明の第６の観点によれば、読み書き装置と非接触式に無線通信可能な情報処理端末であって、複数のデータ領域にそれぞれデータを記憶可能なデータ記憶手段と、ユーザに上記複数のデータ領域から所望するデータ領域を選択させるデータ領域選択手段と、上記読み書き装置から送信される上記書き込み命令と上記データとを受信する命令受信手段と、上記読み書き装置から送信される上記書き込み命令が指定する、上記情報処理端末の特定のデータ領域を、データ領域選択手段で選択されたデータ領域に変更し、上記変更されたデータ領域へ上記データを書き込む、データ書き込み手段と、上記データ記憶手段へのデータの書き込みに応じた応答データを、上記読み書き装置に送信するデータ送信手段とを備える情報処理端末が提供される。
【００３５】
上記情報処理端末は、データ記憶手段と、データ領域選択手段と、命令受信手段と、データ書き込み手段と、データ送信手段とを備える。データ記憶手段は、複数のデータ領域にそれぞれデータを記憶することができる。当該データ記憶手段は、階層構造をとってデータを記憶してもよい。データ領域選択手段は、ユーザに上記複数のデータ領域から所望するデータ領域を選択させる役割を果たす。命令受信手段は、上記読み書き装置から送信される上記書き込み命令とデータとを受信する。データ書き込み手段は、上記書き込み命令が指定する、上記情報処理端末の特定のデータ領域を、データ領域選択手段で選択されたデータ領域に変更し、上記変更されたデータ領域へデータを書き込む。ここで、データ領域選択手段でデータ領域が選択されていない場合や、データ領域選択手段で選択されたデータ領域と上記書き込み命令が指定する特定のデータ領域とが同一の場合は、上記書き込み命令が指定する特定のデータ領域へデータを書き込む。データ送信手段は、上記データ記憶手段へのデータの書き込みに応じた応答データを、上記読み書き装置に送信する。
【００３６】
また、選択信号保持手段をさらに備え、上記データ領域選択手段は、上記ユーザにより選択されたデータ領域を表す選択信号を生成し、上記選択信号保持手段は、上記選択信号を保持し、上記書き込み手段は、上記書き込み命令が指定する上記情報処理端末の特定のデータ領域を、上記選択信号保持手段で保持された上記選択信号に基づいて変更し、上記変更されたデータ領域へ上記データを書き込むとしてもよい。
【００３７】
情報処理端末は、選択信号保持手段をさらに備える。データ領域選択手段は、ユーザにより選択されたデータ領域を表す選択信号を生成する。ここで、当該選択信号は、例えば所定ビットのデジタル信号としてもよいし、アナログ信号としてもよい。上記選択信号保持手段は、上記選択信号を保持する。上記書き込み手段は、上記書き込み命令が指定する上記情報処理端末の特定のデータ領域を、上記選択信号保持手段で保持された上記選択信号に基づいて変更し、上記変更されたデータ領域へデータを書き込む。ここで、上記選択信号を、インデックス番号に置き換えて、当該インデックス番号に基づいて、データを書き込むデータ領域を変更してもよい。
【００３８】
また、上記データ領域選択手段は、上記ユーザにより選択されたデータ領域を表す選択信号を生成可能な選択用操作入力デバイスであるとしてもよい。
【００３９】
情報処理端末に選択用操作入力デバイスを設けることにより、ユーザが所望するデータ領域へデータを書き込ませることが可能となる。ここで、当該選択信号は、例えば所定ビットのデジタル信号としてもよいし、アナログ信号としてもよい。
【００４０】
また、上記情報処理端末は、ＩＣカードであるとしてもよい。
【００４１】
上述したデータ領域選択手段としてユーザにより選択されたデータ領域を表す選択信号を生成可能な選択用操作入力デバイスを備える情報処理端末の構成は、ＩＣカードに適用することができる。様々なデータを記憶することができ、また、プログラムを実行することが可能なＩＣカードに、選択用操作入力デバイスを備えることにより、例えば、電子マネーバリューを複数、選択的に蓄えることが可能となるなど、ＩＣカード外部から取得した様々なサービスで利用可能なデータを選択的に蓄えることができる。
【００４２】
また、上記情報処理端末が備える汎用の操作入力デバイスを、上記データ領域選択手段として用い、上記汎用の操作入力デバイスは、上記ユーザにより選択されたデータ領域を表す選択信号を生成可能であるとしてもよい。
【００４３】
情報処理端末が備える他の用途でも用いることが可能な汎用の操作入力デバイスを、データ領域選択手段として用いることにより、情報処理端末に新規に選択用操作入力デバイスを設けなくても選択信号を生成することができる。上記汎用の操作入力デバイスをデータ領域選択手段として用いる場合、上記汎用の操作入力デバイスは、ユーザにより選択されたデータ領域を表す選択信号を生成する。ここで、当該選択信号は、例えば所定ビットのデジタル信号としてもよいし、アナログ信号としてもよい。
【００４４】
また、上記データ領域選択手段として、さらに、選択信号を生成可能な選択用操作入力デバイスを備え、上記書き込み手段は、上記書き込み命令が指定する上記情報処理端末の特定のデータ領域を、上記汎用の操作入力デバイスから生成された選択信号、または、上記選択用操作入力デバイスから生成された選択信号のいずれか一方に基づいて変更し、上記変更されたデータ領域へ上記データを書き込むとしてもよい。
【００４５】
情報処理端末は、情報処理端末が備える他の用途でも用いることが可能な汎用の操作入力デバイスを、データ領域選択手段として用いることに加えて、さらに、ユーザにより選択されたデータ領域を表す選択信号を生成可能な選択用操作入力デバイスを備えることができる。すなわち、選択信号は、少なくとも２系統の経路で生成可能となる。ここで、書き込み手段でデータ領域の変更に用いられる選択信号は、上記汎用の操作入力デバイス、または、上記選択用操作入力デバイスで生成された選択信号のいずれか一方が排他的に使用されてもよい。上記汎用の操作入力デバイス、または、上記選択用操作入力デバイスで生成された選択信号のいずれか一方を排他的に使用する方法は、少なくとも２系統の選択信号生成経路を含むデータ領域選択手段において、一つの選択信号生成経路を有効化した場合に、他の選択信号生成経路を無効化することで実現してもよいし、選択信号が複数生成されたとしても、選択信号を使用する段階で取捨選択してもよい。
【００４６】
なお、情報処理端末は、上記汎用の操作入力デバイス、または、上記選択用操作入力デバイスで生成された選択信号のいずれか一方を排他的に使用するのではなく、電圧の大きさやデジタル値などの所定の基準を用い、複数の選択信号の組み合わせを一つの選択信号として捉えて、データ領域の変更を行うことも可能である。当該情報処理端末においては、選択信号生成経路を複数備えるが、いずれの選択信号生成経路で生成された選択信号であるかによらず、書き出し手段は、一つの選択信号に基づいてデータ領域の変更を行い、変更されたデータ領域へデータを書き込む。
【００４７】
また、上記情報処理端末は、携帯型通信装置であるとしてもよい。
【００４８】
上述した他の用途でも用いることが可能な汎用の操作入力デバイスを備える情報処理端末の構成は、携帯型通信装置に適用することができる。携帯電話などの携帯型通信装置に選択機能を備えることにより、例えば、電子マネーバリューを複数、選択的に蓄えることが可能となり、自動販売機や店舗における購買に活用することができる。ここで、汎用の操作入力デバイスとしては、例えば、ダイヤルボタン、通話ボタン、終話ボタン、ファンクションキーなどが挙げられる。
【００４９】
また、上記目的を達成するために、本発明の第７の観点によれば、情報処理端末と非接触式に無線通信可能な読み書き装置であって、上記情報処理端末の特定のデータ領域にデータを書き込むための書き込み命令とデータとを送信する命令送信手段と、上記書き込み命令が指定する上記情報処理端末の特定のデータ領域以外のデータ領域へ、選択的に上記データを書き込むことが可能な上記情報処理端末から送信される、上記書き込み命令に応じた応答データを受信可能なデータ受信手段とを備える読み書き装置が提供される。
【００５０】
上記読み書き装置は、少なくとも命令送信手段とデータ受信手段とを備える。命令送信手段は、情報処理端末の特定のデータ領域へデータを書き込むための書き込み命令とデータとを上記情報処理端末へ送信する。データ受信手段は、上記情報処理端末から送信される、上記書き込み命令に応じた応答データを受信する。
【００５１】
また、上記目的を達成するために、本発明の第８の観点によれば、読み書き装置と情報処理端末とのデータの送受信を非接触式に行うことが可能な無線データ通信に用いられるプログラムであって、複数のデータ領域にそれぞれデータを記憶する手段、データ領域を選択するための選択信号を生成する手段、上記読み書き装置から送信される、特定のデータ領域へデータを書き込む書き込み命令とデータとを受信する手段、上記書き込み命令が指定する、特定のデータ領域を、上記選択信号に応じて変更し、上記変更されたデータ領域へ上記データを書き込む手段、上記データの書き込みに応じた応答データを、上記読み書き装置に送信するする手段としてコンピュータを機能させるためのプログラムが提供される。
【００５２】
かかるプログラムを用いることにより、読み書き装置から送信されるデータを、選択的に情報処理端末に書き込むことができる。
【発明の効果】
【００５３】
本発明によれば、ユーザが所望するデータを、選択的に情報処理端末から読み書き装置へ送信することが可能となる。
【発明を実施するための最良の形態】
【００５４】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００５５】
（操作入力デバイスを従来の情報処理端末に単に適用した場合の問題）
ユーザが所望するデータを送信するための操作入力デバイスを、従来の情報処理端末に単に適用した場合、データを選択的に読み書き装置（以下、「リーダ／ライタ」という。）に送信することは可能ではあるが、問題が生じる。そこで、まず、所望するデータを送信するための操作入力デバイスを単に適用した情報処理端末において生じる問題について説明する。
【００５６】
図９は、従来のリーダ／ライタ５０と、従来の情報処理端末に所望するデータを送信するための操作入力デバイスを適用した情報処理端末１０とで構成される送受信システムを示すブロック図である。
【００５７】
図９を参照すると、リーダ／ライタ５０は、少なくとも命令送信手段５４とデータ受信手段５２とを備える。命令送信手段５４は、情報処理端末１０の特定のデータ領域に保存されるデータを読み出すための読み出し命令を送信し、データ受信手段５２は、情報処理端末１０から送信される読み出し命令に応じたデータを受信する。
【００５８】
また、情報処理端末１０は、例えば、電話番号の入力にも使用するダイヤルボタンなどの、汎用の操作入力デバイス１２と、汎用の操作入力デバイス１２からの入力に基づいて情報処理端末１０の動作を規定する処理を行う外部コントローラ１４と、ＩＣカードチップ２０とを備え、外部コントローラ１４とＩＣカードチップ２０とは、接続インタフェース（図示せず）を介して接続される。
【００５９】
また、ＩＣカードチップ２０は、データ記憶手段３０と、書き込み手段２８と、命令受信手段２４と、読み出し手段２６と、データ送信手段２２とを備える。データ記憶手段３０は、データ３４が記憶されるデータ領域３２や、データ３８が記憶されるデータ領域３６など、複数のデータ領域を備えており、これらのデータ領域にはそれぞれ、情報処理端末１０が利用可能なサービスのデータなどが記憶されている。書き込み手段２８は、データ記憶手段３０の任意のデータ領域にデータを書き込むことが可能である。命令受信手段２４は、リーダ／ライタ５０から送信される読み出し命令を受信する。読み出し手段２６は、読み出し命令が指定するデータ記憶手段３０のデータ領域のデータを読み出す。データ送信手段２２は、読み出し手段２６により読み出されたデータを、リーダ／ライタ５０へ送信する。
【００６０】
なお、リーダ／ライタ５０は、情報処理端末１０の特定のデータ領域に保存されるデータを読み出すための読み出し命令だけでなく、情報処理端末１０の特定のデータ領域にデータを書き込むためのデータ書き出し命令とデータとを送信することも可能であるが、以下、データの読み出しについて説明する。
【００６１】
リーダ／ライタ５０が、特定のデータ領域、例えば、データ領域３６のデータを読み出す読み出し命令を送信すると、読み出し命令を受信した情報処理端末１０は、データ領域３６に記憶されているデータ３８を読み出し、読み出したデータ３８をリーダ／ライタ５０に送信する。このように、情報処理端末１０は、リーダ／ライタ５０の読み出し命令が指定するデータ領域に記憶されているデータを、リーダ／ライタ５０へ送信する。したがって、リーダ／ライタ５０へ選択的にデータを送信するためには、データ領域３６に記憶されているデータ３８を書き換える必要がある。
【００６２】
ユーザが、汎用の操作入力デバイス１２を用いてリーダ／ライタ５０へ送信を所望するサービスのデータを選択すると、外部コントローラ１４は、読み出し命令が指定するデータ領域３６のデータ３８を、読み出し手段２６が一時的に読み出せないように制御する。
【００６３】
また、外部コントローラ１４は、ユーザが送信を所望するサービスのデータに対応する処理アプリケーションを起動し、書き込み手段２８を介して、ユーザが選択したデータをデータ領域３６に書き込む。
【００６４】
そして、外部コントローラ１４は、データ領域３６にユーザが選択したデータが正常に書き込まれると、読み出し手段２６がデータ領域３６のデータ３８を読み出すことを可能とさせる。情報処理端末１０では、上記ようなデータの書き込み動作が行われることにより、リーダ／ライタ５０へ選択的にデータを送信することができる。
【００６５】
しかしながら、上述する構成では、汎用の操作入力デバイス１２からデータが選択される度に、外部コントローラ１４は、データ記憶手段３０にデータを書き込まなければならない。データ記憶手段３０へのデータの記憶に要する時間は、リーダ／ライタ５０と情報処理端末１０との通信に要する時間と比べて非常に長いため、非接触式に通信を行う無線通信システムでは、書き込みに要する時間を容認することは非常に困難である。
【００６６】
また、汎用の操作入力デバイス１２から選択される度に、ユーザが送信を所望するサービスのデータに対応する処理アプリケーションを起動しなければならず、処理アプリケーションの起動に要する時間の分、通信の遅延が生じる。
【００６７】
また、情報処理端末１０のデータ記憶手段３０には、複数のサービスのデータが記憶されていることが一般的であり、セキュリティの関係上、サービスそれぞれに対して、処理アプリケーションが設けられている。したがって、汎用の操作入力デバイス１２を複数のサービスで共有する場合、汎用の操作入力デバイス１２から選択される度に、共有されているサービスに対応する処理アプリケーションを全て起動する必要があり、通信の遅延が生じる可能性が高い。
【００６８】
さらに、データ記憶手段３０にデータを書き込む処理を行っているときに、例えば電源断などの障害が発生した場合、意図しないデータがデータ記憶手段３０に記憶される可能性がある。したがって、障害が発生した場合の復旧処理により、非接触式に通信を行う無線通信システムに容認できない通信の遅延が生じる可能性を含み、また、意図しないデータがリーダ／ライタ５０へ送信される、すなわち、通信システムとしての信頼性が損なわれる危険性を孕む。
【００６９】
以上のように、ユーザが所望するデータを送信するための操作入力デバイスを、従来の情報処理端末に単に適用した場合には、情報処理端末からリーダ／ライタへ選択的にデータを送信することは可能であるが、上述したような問題が起こりうる。そこで、次に、本発明の好適な実施の形態について詳細に説明する。
【００７０】
（第１の実施形態）
図１は、本発明の第１の実施形態に係るリーダ／ライタ１７０と情報処理端末１００とで構成される送受信システムを示すブロック図である。
【００７１】
図１を参照すると、リーダ／ライタ１７０は、命令送信手段１７４とデータ受信手段１７２とを備える。命令送信手段１７４は、情報処理端末１００の特定のデータ領域のデータを読み出すための読み出し命令を情報処理端末１００へ送信する。データ受信手段１７２は、情報処理端末１００から送信される、読み出し命令に応じたデータを受信する。ここで、当該読み出し命令に応じたデータは、読み出し命令が指定する情報処理端末１００の特定のデータ領域のデータに限られず、情報処理端末１００でデータを読み出すデータ領域が変更された結果、読み出されたデータであってもよい。
【００７２】
なお、図１では、命令送信手段１７４とデータ受信手段１７２としか示されていないが、命令送信手段１７４が送信する読み出し命令を生成する手段や、データ受信手段１７２が受信したデータを処理する手段を備えてもよいし、リーダ／ライタ１７０とは別体のコンピュータ（図示せず）と連携して、データ受信手段１７２が受信したデータに基づく動作を行うこともできる。また、命令送信手段１７４とデータ受信手段１７２とを、一体の手段として構成してもよい。
【００７３】
また、本発明の第１の実施形態に係る情報処理端末１００は、データ領域選択手段としての選択用操作入力デバイス１０２と、ＩＣカードチップ１１０とを備え、選択用操作入力デバイス１０２とＩＣカードチップ１１０とは、接続インタフェース（図示せず）を介して接続される。ＩＣカードチップ１１０は、データ記憶手段１２４と、選択信号保持手段１１６と、選択信号記憶手段１１８と、命令受信手段１１４と、データ読み出し手段１２０と、データ送信手段１１２とを備える。なお、情報処理端末１００は、上記情報処理端末１００が備える構成要素を制御するコンピュータ（図示せず）を備えてもよいし、上記情報処理端末１００が備えるいずれかの構成要素が、コンピュータとしての機能を代替することもできる。
【００７４】
選択用操作入力デバイス１０２は、ユーザにデータ領域を選択させるためのインタフェースであり、選択用操作入力デバイス１０２としては、例えば、押しボタンスイッチやレバースイッチなどが挙げられる。選択用操作入力デバイス１０２を用いたデータ領域選択方法は、押しボタンスイッチを選択可能なデータ領域分設けて、それぞれの押しボタンをそれぞれのデータ領域に対応させ、押された押しボタンに対応するデータ領域が選択されるとしてもよい。また、一つの押しボタンを設け、押しボタンが初めに押されてから所定時間内に、連続的に何回押されたかを基準としてデータ領域が選択されてもよい。また、一つの押しボタンを設け、押しボタンが押されている時間を基準としてデータ領域が選択されることもできる。さらには、レバースイッチを少なくともデータ領域の数の方向に動くように設けて、レバースイッチが倒された方向に応じてデータ領域が選択することもできるし、レバースイッチが初めに倒されてから所定時間内に、連続的に何回倒されたか、または、レバースイッチが倒されている時間を基準にデータ領域の選択をさせることもできる。さらに、複数のレバースイッチの動作の組み合わせでデータ領域を選択できるようにしてもよい。なお、選択用操作入力デバイス１０２、および、選択用操作入力デバイス１０２を用いたデータ領域選択方法は、上記に限られないことは言うまでもない。
【００７５】
また、選択用操作入力デバイス１０２は、選択されたデータ領域に応じた選択信号を生成する。選択信号は、例えば所定ビットをもつデジタル信号や、アナログ信号で表すことができる。
【００７６】
データ記憶手段１２４は、サービス領域１２６、１４８など、情報処理端末１００において利用可能な複数のサービス用の領域に分かれており、サービス領域１２６は、データ選択可否領域１２８とデータ選択可否領域１４２とを含み、サービス領域１４８は、データ選択可否領域１５０とデータ選択可否領域１６４とを含むというように、それぞれのサービス領域内に複数のデータ選択可否領域が含まれる。ここで、データ選択可否領域には、ユーザがデータ領域を選択することが可能か否かを判定するためのデータ選択フラグが設定されており、例えば、データ選択フラグが有効の場合は、ユーザがデータ領域を選択することが可能となり、また、データ選択フラグが無効の場合は、ユーザが選択用操作入力デバイス１０２を用いて行ったデータ領域の選択を無効とする。
【００７７】
図１においては、サービス領域１２６のデータ選択可否領域１２８と、サービス領域１４８のデータ選択可否領域１５０とが、データ選択フラグが有効に設定されており、データ選択可否領域１２８からは、データ領域１３０のデータ１３２と、データ領域１３４のデータ１３６と、データ領域１３８のデータ１４０とが選択的に読み出される。同様に、データ選択可否領域１５０からは、データ領域１５２のデータ１５４と、データ領域１５６のデータ１５８と、データ領域１６０のデータ１６２とが選択的に読み出される。
【００７８】
また、サービス領域１２６のデータ選択可否領域１４２と、サービス領域１４８のデータ選択可否領域１６４とは、データ選択フラグが無効に設定されている。当該データ選択可否領域がリーダ／ライタ１７０からの読み出し命令で指定された場合は、ユーザが選択用操作入力デバイス１０２を用いてデータ領域を選択したとしても、データ領域の選択は行われず、当該データ選択可否領域の特定のデータ、すなわち、データ領域１４４のデータ１４６や、データ領域１６６のデータ１６８が読み出される。データの読み出しの流れについては後述する。
【００７９】
なお、図１では、サービス領域１２６とサービス領域１４８とにおける階層構造が同一に示されているが、データ記憶手段１２４に記憶されるデータの階層構造は、任意に設計することができる。
【００８０】
選択信号保持手段１１６は、データ領域選択手段としての選択用操作入力デバイス１０２にて生成された選択信号を、例えばＲＡＭ（Random  Access  Memory）などの選択信号記憶手段１１８に保持させる。ここで、選択信号保持手段１１６は、ハードウェアで実現してもよいし、ソフトウェアで実現することもできる。
【００８１】
選択信号保持手段１１６が制御する選択信号記憶手段１１８への選択信号の保持は、選択用操作入力デバイス１０２において、例えば、押しボタンが押されている間、選択信号を保持するとすることができる。また、タイマにより、一定時間、選択信号を保持するとしてもよい。さらに、選択信号記憶手段１１８に選択信号が保持されている場合、ユーザが選択用操作入力デバイス１０２を用いて新たにデータ領域を選択するまで、すなわち、次の選択信号が入力されるまで継続的に保持させることもできる。なお、選択信号保持手段１１６が制御する選択信号記憶手段１１８への選択信号の保持は、上記に限られないことは言うまでもない。
【００８２】
命令受信手段１１４は、非接触式に無線通信でリーダ／ライタ１７０から送信される読み出し命令を受信する。
【００８３】
データ読み出し手段１２０は、リーダ／ライタ１７０から送信される読み出し命令が指定する、情報処理端末１００の特定のデータ領域を、データ領域選択手段としての選択用操作入力デバイス１０２で選択されたデータ領域に変更し、変更されたデータ領域のデータを読み出す。次に、本発明の第１の実施形態に係るデータ読み出し手段１２０が備えるデータ読み出し機能と、データ読み出し処理の流れについて説明する。
【００８４】
（データ読み出し手段が備えるデータ読み出し機能）
まず、本発明の第１の実施形態に係るデータ読み出し手段１２０が備えるデータ読み出し機能について、図２を参照して説明する。図２は、本発明の第１の実施形態に係るデータ読み出し手段１２０が備えるデータ読み出し機能を説明する説明図である。ここで、図２（ａ）は、選択信号がない場合を表しており、また、図２（ｂ）は、選択信号がある場合を示している。
【００８５】
図２（ａ）を参照すると、選択信号がない場合の情報処理端末１００に係るデータ読み出し手段１２０は、リーダ／ライタ１７０から送信される読み出し命令がデータ領域１３０のデータ領域のデータを読み出すように指定している場合、データ領域１３０のデータ１３２を読み出す。図２（ａ）の場合の読み出し動作は、リーダ／ライタ１７０から送信される読み出し命令が指定するデータ領域のデータを読み出しているに過ぎないので、図２（ａ）の場合の読み出し動作は、図９に示す情報処理端末１０に係る読み出し動作と同様の読み出し動作となる。
【００８６】
図２（ａ）に対して図２（ｂ）では、読み出し手段１２０に、データ領域１３０のデータを読み出すように指定する読み出し命令と、データ領域１３４のデータを読み出すように指定する選択信号とが入力されている。ここで、読み出し命令は、リーダ／ライタ１７０からのデータ領域の指定であり、また、選択信号は、ユーザからのデータ領域の指定である。このとき、データ読み出し手段１２０は、読み出し命令が指定するデータ領域１３０を、選択信号が指定するデータ領域１３４に変更し、その結果、読み出し命令が指定するデータ領域１３０のデータ１３２ではなく、選択信号が指定するデータ領域１３４のデータ１３６が読み出される。なお、選択信号がデータ領域１３０を指定している場合は、図２（ａ）と同様に、データ領域１３０のデータ１３２が読み出される。
【００８７】
（データ読み出し処理の流れ）
次に、データ読み出し手段１２０におけるデータ読み出し処理の流れについて、図３を参照して説明する。図３は、本発明の第１の実施形態に係るデータ読み出し手段におけるデータ読み出し処理の流れの一形態を示す流れ図である。
【００８８】
まず、リーダ／ライタ１７０から送信される読み出し命令が指定するデータ領域のサービス領域が存在するかどうかを検索する（Ｓ１０１）。サービス領域が存在するかどうかの検索は、データ読み出し手段１２０がデータ記憶手段１２４を直接検索してサービス領域の存在の有無を確認することができる。また、データ読み出し手段１２０は、データ記憶手段１２４が含む階層構造をデータベースとして保持し、データ読み出し手段１２０が、当該データベースを検索することによりサービス領域の存在の有無を確認してもよい。さらに、当該データベースをデータ読み出し手段１２０以外の構成要素が備え、データ読み出し手段１２０が、当該データ読み出し手段１２０以外の構成要素が備えるデータベースを検索することによりサービス領域の存在の有無を確認することもできる。
【００８９】
ステップＳ１０１において、検索の結果、読み出し命令が指定するデータ領域が含まれるサービス領域が存在しない場合は、データ読み出し不可応答を行う（Ｓ１０９）。
【００９０】
また、ステップＳ１０１において、検索の結果、読み出し命令が指定するデータ領域が含まれるサービス領域が存在した場合は、読み出し命令が指定するデータ領域が含まれるデータ選択可否領域に設定されたデータ選択フラグの有効／無効を検索する（Ｓ１０２）。データ選択フラグの有効／無効の検索は、ステップＳ１０１と同様の方法で実現することができる。
【００９１】
ステップＳ１０２において、検索の結果、読み出し命令が指定するデータ領域が含まれるデータ選択可否領域に設定されたデータ選択フラグが無効に設定されていた場合は、図２（ｂ）に示すようなデータ領域の変更を行うことができないため、選択信号の有無によらず、当該データ選択可否領域内の特定のデータ領域のデータを読み出す（Ｓ１０３）。
【００９２】
また、ステップＳ１０２において、検索の結果、読み出し命令が指定するデータ領域が含まれるデータ選択可否領域のデータ選択フラグが有効であった場合は、選択信号記憶手段１１８に保持されている選択信号を検索する（Ｓ１０４）。
【００９３】
ステップＳ１０４において、検索の結果、選択信号記憶手段１１８に選択信号が保持されていない場合は、予め定められたデータ領域をデータを、読み出すデータ領域として設定する（Ｓ１０６）。
【００９４】
また、ステップＳ１０４において、検索の結果、選択信号記憶手段１１８に選択信号１２２が保持されている場合は、選択信号１２２が示すデータ領域を、データを読み出すデータ領域として設定する（Ｓ１０５）。ここで、選択信号１２２とデータ領域との対応関係は、例えば、選択信号がデジタル信号として保持されている場合、選択信号が１０進数の０（零）を示すときは、読み出し命令が指定するデータ領域が含まれるデータ選択可否領域の第１番目のデータ領域（例えば、データ選択可否領域１２８の場合はデータ領域１３０）に対応し、選択信号１２２が１０進数の１を示すときは、読み出し命令が指定するデータ領域が含まれるデータ選択可否領域の第２番目のデータ領域（例えば、データ選択可否領域１２８の場合はデータ領域１３４）に対応し、選択信号１２２が１０進数の２を示すときは、読み出し命令が指定するデータ領域が含まれるデータ選択可否領域の第３番目のデータ領域（例えば、データ選択可否領域１２８の場合はデータ領域１３８）に対応し、選択信号１２２が１０進数の３を示すときは、読み出し命令が指定するデータ領域が含まれるデータ選択可否領域の第４番目のデータ領域（例えば、データ選択可否領域１２８の場合は該当データ領域なし）に対応するというように、定められる。なお、選択信号１２２とデータ領域との対応関係は、上記に限られないことは言うまでもない。
【００９５】
ステップＳ１０５、または、ステップＳ１０６において、データを読み出すデータ領域が設定された後に、当該設定されたデータ領域が有効かどうかを検索する（Ｓ１０７）。当該設定されたデータ領域が有効かどうかの検索は、ステップＳ１０１と同様の方法で実現することができる。
【００９６】
ステップＳ１０７において、検索の結果、設定されたデータ領域が存在しない場合は、データ読み出し不可応答を行う（Ｓ１０９）。
【００９７】
また、ステップＳ１０７において、検索の結果、設定されたデータ領域が有効である場合は、当該設定されたデータ領域のデータを読み出す（Ｓ１０８）。
【００９８】
データ読み出し手段１２０は、図３に示す以上の流れにしがたって、データ領域のデータを読み出すことにより、選択的にデータが読み出される。
【００９９】
データ送信手段１１２は、データ記憶手段１２４から読み出されたデータを、リーダ／ライタ１７０に送信する。
【０１００】
以上のように、本発明の第１の実施形態に係る情報処理端末１００は、データ領域選択手段としての選択用操作入力デバイス１０２を備えることにより、ユーザに上記複数のデータ領域から所望するデータ領域を選択させるをことを可能とする。データ読み出し手段１２０は、命令受信手段１１４が受信した、リーダ／ライタ１７０から送信される読み出し命令が指定する情報処理端末１００の特定のデータ領域を、データ領域選択手段としての選択用操作入力デバイス１０２で選択されたデータ領域に変更し、変更されたデータ領域のデータを読み出す。そして、データ送信手段１１２は、データ読み出し手段１２０により読み出されたデータをリーダ／ライタ１７０へ送信する。したがって、本発明の第１の実施形態に係る情報処理端末１００は、データを選択的に読み出して、リーダ／ライタ１７０へデータを送信することができる。
【０１０１】
また、本発明の第１の実施形態として、情報処理端末１００を挙げて説明したが、本発明の第１の実施形態は、係る形態に限られず、ＩＣカードなどのユーザが操作可能なインタフェースを元来有していない様々な装置に適用することができる。
【０１０２】
（第２の実施形態）
本発明の第１の実施形態に係る情報処理端末１００では、データ領域選択手段としての選択用操作入力デバイス１０２を新たに情報処理端末に設けたが、情報処理端末としては、ＩＣカードチップを搭載した携帯電話をはじめとする携帯型通信装置や、ＩＣカードチップを搭載したＰＤＡ（Personal  Digital  Assistants）などのコンピュータなど、ユーザが操作可能なインタフェースを装置そのものに備えているものがある。そこで、本発明の第２の実施形態では、ユーザが操作可能なインタフェースを装置そのものに備えている情報処理端末について説明する。
【０１０３】
図４は、本発明の第２の実施形態に係るリーダ／ライタ１７０と情報処理端末２００とで構成される送受信システムを示すブロック図である。
【０１０４】
図４を参照すると、本発明の第２の実施形態に係るリーダ／ライタ１７０は、本発明の第１の実施形態と同様の構成と機能とを有している。また、本発明の第２の実施形態に係る情報処理端末２００は、図１に示す本発明の第１の実施形態に係る情報処理端末１００と比較すると、選択用操作入力デバイス１０２を有しておらず、データ領域選択手段としての汎用の操作入力デバイス２０２と、外部コントローラ２０４とを新たに有している。そして、情報処理端末２００は、汎用の操作入力デバイス２０２と外部コントローラ２０４とを備えることにより、ＩＣカードチップ２１０が備える選択信号保持手段２１２が、本発明の第１の実施形態の選択信号保持手段１１６と異なる。
【０１０５】
汎用の操作入力デバイス２０２は、情報処理端末２００に様々な機能を実行させる場合に使用可能な汎用のインタフェースであり、本発明の第２の実施形態に係る情報処理端末２００は、汎用の操作入力デバイス２０２を、ユーザにデータ領域を選択させるためのインタフェースとして用いる。
【０１０６】
汎用の操作入力デバイス２０２としては、例えば、押しボタンスイッチやレバースイッチなどが挙げられる。汎用の操作入力デバイス２０２を用いたデータ領域選択方法は、複数の押しボタンにそれぞれのデータ領域に対応させ、押された押しボタンに対応するデータ領域が選択されるとしてもよい。また、一つの押しボタンを用いて、押しボタンが初めに押されてから所定時間内に、連続的に何回押されたかを基準としてデータ領域が選択されてもよいし、押しボタンが押されている時間を基準としてデータ領域が選択されることもできる。また、レバースイッチが倒された方向に応じてデータ領域が選択することもできるし、レバースイッチが初めに倒されてから所定時間内に、連続的に何回倒されたか、または、レバースイッチが倒されている時間を基準にデータ領域の選択をさせることもできる。さらに、複数のレバースイッチの動作の組み合わせでデータ領域を選択できるようにしてもよい。なお、汎用の操作入力デバイス２０２、および、汎用の操作入力デバイス２０２を用いたデータ領域選択方法は、上記に限られないことは言うまでもない。
【０１０７】
また、外部コントローラ２０４は、情報処理端末２００に備えられたＭＰＵ（Micro  Processing  Unit）の役割を果たし、汎用の操作入力デバイス２０２からの入力に応じて様々な処理を情報処理端末２００に行わせることができる。つまり、情報処理端末２００は、外部コントローラ２０４が備わることにより、汎用の操作入力デバイス２０２を、例えば、電話機能に用いるダイヤルボタン、または、ブラウザ機能に用いる操作ボタン、さらには、ユーザにデータ領域を選択させるためのボタンなどに用いることが可能となる。
【０１０８】
ユーザが汎用の操作入力デバイス２０２を用いてデータ領域を選択すると、外部コントローラ２０４は、汎用の操作入力デバイス２０２からの入力を判別して選択されたデータ領域に応じた入力信号を生成し、選択信号保持手段２１２へ生成した入力信号を伝達する。ここで、選択信号保持手段２１２へ伝達される入力信号は、所定ビットをもつデジタル信号とすることができる。
【０１０９】
選択信号保持手段２１２は、外部コントローラ２０４から伝達される入力信号を、パース処理などにより、所定ビットをもつデジタル信号で表される選択信号へ変換する。そして、選択信号を選択信号記憶手段１１８に保持する。ここで、選択信号は、ＤＡコンバータ（Digital  to  Analog  converter）などによりアナログ信号としてもよい。また、選択信号保持手段２１２は、ソフトウェアで実現してもよいし、ハードウェアで実現することもできる。
【０１１０】
選択信号保持手段２１２が制御する選択信号記憶手段１１８への選択信号の保持は、汎用の操作入力デバイス２０２において、例えば、押しボタンが押されている間保持するとすることができる。また、タイマにより、一定時間、選択信号記憶手段１１８に選択信号を保持するとしてもよい。さらに、選択信号記憶手段１１８に選択信号が保持されている場合、ユーザが汎用の操作入力デバイス２０２を用いて新たにデータ領域を選択するまで、すなわち、選択信号記憶手段１１８の選択信号が書き換わるまで継続的に選択信号を保持させることもできる。選択信号保持手段２１２が、選択信号記憶手段１１８の選択信号が書き換わるまで継続的に選択信号を保持させることにより、リーダ／ライタ１７０と通信を行う度に、ユーザがデータ領域を選択する必要はなくなる。なお、選択信号保持手段２１２が制御する選択信号記憶手段１１８への選択信号の保持は、上記に限られないことは言うまでもない。
【０１１１】
また、選択信号を生成、および、保持する方法は、上述した方法に限られず、例えば、汎用の操作入力デバイス２０２が選択信号を生成し、外部コントローラ２０４と選択信号保持手段２１２とにより、選択信号記憶手段１１８へ保持させてもよい。さらに、選択信号保持手段２１２と選択信号記憶手段１１８とを、一体の手段として構成することも可能である。
【０１１２】
選択信号記憶手段１１８に保持された選択信号１２２は、データ読み出し手段１２０のデータ読み出し処理で用いられる。つまり、本発明の第２の実施形態に係る情報処理端末２００は、本発明の第１の実施形態に係る情報処理端末１００と比較すると、データ領域選択手段と選択信号保持手段２１２とが異なるが、その他の構成は、情報処理端末１００と同様であり、情報処理端末１００と同様のデータ読み出し機能を有する。
【０１１３】
以上のように、本発明の第２の実施形態に係る情報処理端末２００は、データ領域選択手段としての汎用の操作入力デバイス２０２を用いて、ユーザに上記複数のデータ領域から所望するデータ領域を選択させるをことを可能とする。データ読み出し手段１２０は、命令受信手段１１４が受信した、リーダ／ライタ１７０から送信される読み出し命令が指定する情報処理端末２００の特定のデータ領域を、データ領域選択手段としての汎用の操作入力デバイス２０２で選択されたデータ領域に変更し、変更されたデータ領域のデータを読み出す。そして、データ送信手段１１２は、データ読み出し手段１２０により読み出されたデータをリーダ／ライタ１７０へ送信する。したがって、本発明の第２の実施形態に係る情報処理端末２００は、データを選択的に読み出して、リーダ／ライタ１７０へデータを送信することができる。
【０１１４】
また、本発明の第２の実施形態として、情報処理端末２００を挙げて説明したが、本発明の第２の実施形態は、係る形態に限られず、ＩＣカードチップを搭載した携帯電話をはじめとする携帯型通信装置や、ＩＣカードチップを搭載したＰＤＡなどのコンピュータなど、ユーザが操作可能なインタフェースを装置そのものに備えている様々な装置に適用することができる。
【０１１５】
（第３の実施形態）
上述したように、本発明の第１の実施形態では、データ領域選択手段としての選択用操作入力デバイス１０２を新たに情報処理端末に設け、また、本発明の第２の実施形態では、情報処理端末２００が備えている汎用の操作入力デバイス２０２を、データ領域選択手段として用いた。本発明の第３の実施形態では、本発明の第１の実施形態のデータ領域選択手段と、本発明の第２の実施形態のデータ領域選択手段とを併せた情報処理端末３００について説明する。
【０１１６】
図５は、本発明の第３の実施形態に係るリーダ／ライタ１７０と情報処理端末３００とで構成される送受信システムを示すブロック図である。
【０１１７】
図５を参照すると、本発明の第３の実施形態に係るリーダ／ライタ１７０は、本発明の第１の実施形態と同様の構成と機能とを有している。また、本発明の第３の実施形態に係る情報処理端末３００は、データ領域選択手段として、本発明の第１の実施形態と同様の選択用操作入力デバイス１０２と、本発明の第２の実施形態と同様の汎用の操作入力デバイス２０２とを有する。そして、少なくとも２系統のデータ領域選択手段を有することにより、ＩＣカードチップ３１０が備える選択信号保持手段３１２が、本発明の第１の実施形態の選択信号保持手段１１６と、本発明の第２の実施形態の選択信号保持手段２１２と異なる。
【０１１８】
選択信号保持手段３１２は、ユーザが、選択用操作入力デバイス１０２、または、汎用の操作入力デバイス２０２を操作して生成された選択信号のいずれか一方を、選択信号記憶手段１１８に保持させる。次に、選択信号保持手段３１２における選択信号保持処理の流れについて、図６を参照して説明する。
【０１１９】
（選択信号保持処理の流れ）
図６は、本発明の第３の実施形態に係る選択信号保持手段３１２における選択信号保持処理の流れの一形態を示す流れ図である。
【０１２０】
まず、選択用操作入力デバイス１０２からデータ領域が選択されたか、または、汎用の操作入力デバイス２０２からデータ領域が選択されたかを判定する（Ｓ２０１）。ここで、当該判定の方法は、選択用操作入力デバイス１０２から伝達される選択信号と、汎用の操作入力デバイス２０２の選択に応じて外部コントローラ２０４から伝達される入力信号とに付記的な情報を付加し、当該付記的な情報を用いて判定してもよい。また、上記選択用操作入力デバイス１０２から伝達される選択信号と、上記入力信号が同一の場合は、信号が入力される入力端を分けて、それぞれの入力端に信号が伝達されたか否かで判定することもできる。
【０１２１】
また、選択信号保持手段３１２は、上記選択用操作入力デバイス１０２から伝達される選択信号と上記入力信号との内、どちらか一方を排他的に用いてもよいし、上記選択用操作入力デバイス１０２から伝達される選択信号と上記入力信号との組み合わせで、新たな選択信号を生成することもできる。排他的に用いる方法としては、例えば、一方の信号を認識した場合において、他方の信号を無効とする、および／または、他方の信号の生成手段を無効とする、すなわち、他方のデータ領域選択手段を操作したとしても信号が生成されないようにすることなどが挙げられるが、上記に限られない。
【０１２２】
排他的、もしくは、組み合わせを利用したいずれの方法であっても、選択信号保持手段３１２は、一つの選択信号を選択信号記憶手段１１８へ保持させる。なお、図３では、上記選択用操作入力デバイス１０２から伝達される選択信号と上記入力信号との内、どちらか一方を排他的に用いる場合を示している。
【０１２３】
ステップＳ２０１において、選択用操作入力デバイス１０２からデータ領域が選択されたと判定された場合、選択用操作入力デバイス１０２から伝達される選択信号を取得する（Ｓ２０２）。
【０１２４】
また、ステップＳ２０１において、汎用の操作入力デバイス２０２からデータ領域が選択されたと判定された場合、外部コントローラ２０４から送信される入力信号を取得する（Ｓ２０３）。
【０１２５】
ステップＳ２０３において取得された入力信号を、ステップＳ２０２で取得される選択用操作入力デバイス１０２から伝達される選択信号と同一の形態の選択信号へ変換する（Ｓ２０４）。ここで、入力信号から選択信号への変換は、パース処理などにより行われるが、変換方法は、上記に限られない。
【０１２６】
ステップＳ２０２で取得される選択用操作入力デバイス１０２から伝達される選択信号、または、ステップ２０４において、変換された選択信号のいずれか一方の選択信号を、選択信号記憶手段１１８へ保持させる（Ｓ２０５）。
【０１２７】
上述した処理の流れにより、選択信号保持手段３１２は、選択信号を選択信号記憶手段１１８に保持させる。選択信号記憶手段１１８に保持された選択信号１２２は、データ読み出し手段１２０のデータ読み出し処理で用いられる。つまり、本発明の第３の実施形態に係る情報処理端末３００は、本発明の第１の実施形態に係る情報処理端末１００と比較すると、データ領域選択手段と選択信号保持手段３１２とが異なるが、その他の構成は、情報処理端末１００と同様であり、情報処理端末１００と同様のデータ読み出し機能を有する。
【０１２８】
以上のように、本発明の第３の実施形態に係る情報処理端末３００は、データ領域選択手段として、選択用操作入力デバイス１０２、または、汎用の操作入力デバイス２０２を用いて、ユーザに上記複数のデータ領域から所望するデータ領域を選択させるをことを可能とする。データ読み出し手段１２０は、命令受信手段１１４が受信した、リーダ／ライタ１７０から送信される読み出し命令が指定する情報処理端末３００の特定のデータ領域を、データ領域選択手段としての選択用操作入力デバイス１０２、または、汎用の操作入力デバイス２０２で選択されたデータ領域に変更し、変更されたデータ領域のデータを読み出す。そして、データ送信手段１１２は、データ読み出し手段１２０により読み出されたデータをリーダ／ライタ１７０へ送信する。したがって、本発明の第３の実施形態に係る情報処理端末３００は、データを選択的に読み出して、リーダ／ライタ１７０へデータを送信することができる。
【０１２９】
また、本発明の第３の実施形態として、情報処理端末３００を挙げて説明したが、本発明の第３の実施形態は、係る形態に限られず、ＩＣカードチップを搭載した携帯電話をはじめとする携帯型通信装置や、ＩＣカードチップを搭載したＰＤＡなどのコンピュータなど、ユーザが操作可能なインタフェースを装置そのものに備えている様々な装置に適用することができる。
【０１３０】
（データの選択的な読み出し用プログラム）
上述した本発明の第１の実施形態、または、本発明の第２の実施形態、または、本発明の第３の実施形態に示す情報処理端末をコンピュータとして機能させるためのプログラムにより、情報処理端末からリーダ／ライタへ選択的にデータを送信可能な、無線通信システムが実現される。
【０１３１】
以上説明した本発明の第１の実施形態、または、本発明の第２の実施形態、または、本発明の第３の実施形態に示す無線通信システムは、自動販売機を利用した購買、ＦＡＸ（Facsimile）、入退室管理などに適用することができる。
【０１３２】
例えば、本発明の実施形態に係るリーダ／ライタとしての自動販売機と、本発明の実施形態に係る情報処理端末としての携帯電話とを組み合わせた無線通信システムでは、ユーザが携帯電話であらかじめ商品を選択して、自動販売機に選択した商品のデータを送信することができるので、ユーザが自動販売機を操作して商品を選択することなく、ユーザが所望する商品を購入することができる。
【０１３３】
また、本発明の実施形態に係るリーダ／ライタとしてのＦＡＸ装置と、本発明の実施形態に係る携帯電話とを組み合わせた無線通信システムでは、ユーザが携帯電話であらかじめ送信先の番号を選択して、ＦＡＸ装置に選択した送信先の番号のデータを送信することができるので、ユーザがＦＡＸ装置を操作して送信先の番号を選択することなく、ユーザが所望する送信先へ送信することができる。
【０１３４】
また、本発明の実施形態に係る入退室管理用のリーダ／ライタと、本発明の実施形態に係るＩＣカードとを組み合わせた無線通信システムでは、ユーザがＩＣカードに備わるデータ領域選択手段を操作することにより、匿名認証と実名認証とをユーザが選択することができる。これにより、例えば、ユーザは、セキュリティレベルの異なる部屋への入退室を、１枚のＩＣカードで行うことできるなどの利点が生まれる。なお、ＩＣカードに備わるデータ領域選択手段を、例えば、生体認証デバイスとすれば、データ領域選択手段を操作可能なユーザを限定することができるので、入退室管理上問題となるセキュリティの問題も解決する。
【０１３５】
（第４の実施形態）
本発明の第１の実施形態と、本発明の第２の実施形態と、本発明の第３の実施形態とに係るリーダ／ライタと情報処理端末とで構成される送受信システムでは、情報処理端末のデータを選択的に読み出して、リーダ／ライタへデータを送信することについて説明したが、リーダ／ライタから情報処理端末へ送信されるデータが保存されるデータ領域を、選択的に変更し、当該データを選択されたデータ領域へ保存することも可能である。次に、データ領域への選択的なデータの書き込みについて説明する。
【０１３６】
図７は、本発明の第４の実施形態に係るリーダ／ライタ４５０と情報処理端末４００とで構成される送受信システムを示すブロック図である。
【０１３７】
図７を参照すると、リーダ／ライタ４５０は、命令送信手段４５４とデータ受信手段４５２とを備える。命令送信手段４５４は、情報処理端末４００の特定のデータ領域へデータを書き込むための書き込み命令と、書き込むデータとを情報処理端末４００へ送信する。データ受信手段４５２は、情報処理端末４００から送信される、書き込み命令に応じた応答データを受信する。
【０１３８】
なお、図７では、命令送信手段４５４とデータ受信手段４５２としか示されていないが、命令送信手段４５４が送信する書き込み命令とデータとを生成する手段や、データ受信手段４５２が受信した応答データを処理する手段を備えてもよいし、リーダ／ライタ４５０とは別体のコンピュータ（図示せず）と連携して、データ受信手段４５２が受信した応答データに基づく動作を行うこともできる。また、命令送信手段４５４とデータ受信手段４５２とを、一体の手段として構成してもよい。
【０１３９】
また、本発明の第４の実施形態に係る情報処理端末４００は、データ領域選択手段として、本発明の第１の実施形態と同様の選択用操作入力デバイス１０２とを有し、本発明の第１の実施形態と比較すると、ＩＣカードチップ４１０が備えるデータ書き込み手段４１２が、本発明の第１の実施形態のデータ読み出し手段１２０と異なる。
【０１４０】
データ書き込み手段４１２は、リーダ／ライタ４５０から送信される書き込み命令が指定する、情報処理端末４００の特定のデータ領域を、データ領域選択手段としての選択用操作入力デバイス１０２で選択されたデータ領域に変更し、変更されたデータ領域へ、リーダ／ライタ４５０から送信されるデータを書き込む。そして、データ書き込み手段４１２は、書き込みが正常に完了した場合、または、書き込みが正常に行われなかった場合には、書き込み処理の成否に応じた応答データをデータ送信手段１１２に伝達する。次に、本発明の第４の実施形態に係るデータ書き込み手段４１２が備えるデータ書き込み機能について説明する。
【０１４１】
（データ書き込み手段が備えるデータ書き込み機能）
図８は、本発明の第４の実施形態に係るデータ書き込み手段４１２が含む書き込み機能を説明する説明図である。
【０１４２】
図８に示す情報処理端末４００に係るデータ書き込み手段４１２は、リーダ／ライタ４５０から送信される書き込み命令がデータ領域１３０へ、リーダ／ライタ４５０から送信されるデータを書き込むように指定し、さらに、ユーザが操作入力デバイス１０２を操作することにより生成された選択信号がデータ領域１３４を指定している。このとき、データ書き込み手段４１２は、書き込み命令が指定するデータ領域１３０を、データ領域１３４に変更し、その結果、データ領域１３４に、リーダ／ライタ４５０から送信されるデータが書き込まれる。なお、選択信号がデータ領域１３０を指定している場合は、書き込み命令が指定する通り、データ領域１３０へ、リーダ／ライタ４５０から送信されるデータが書き込まれる。
【０１４３】
以上のように、本発明の第４の実施形態に係る情報処理端末４００は、データ領域選択手段としての選択用操作入力デバイス１０２を備えることにより、ユーザに複数のデータ領域から所望するデータ領域を選択させるをことを可能とする。データ書き込み手段４１２は、命令受信手段１１４が受信した、リーダ／ライタ４５０から送信される書き込み命令が指定する情報処理端末４００の特定のデータ領域を、データ領域選択手段としての選択用操作入力デバイス１０２で選択されたデータ領域に変更し、変更されたデータ領域へ、リーダ／ライタ４５０から送信されるデータを書き込む。そして、データ書き込み手段４１２は、書き込み処理の成否に応じた応答データをデータ送信手段１１２に伝達し、データ送信手段１１２は、応答データをリーダ／ライタ４５０へ送信する。したがって、本発明の第４の実施形態に係る情報処理端末４００は、リーダ／ライタ４５０から情報処理端末へ送信されるデータが書き込まれるデータ領域を、選択的に変更し、当該データを選択されたデータ領域へ書き込むことができる。
【０１４４】
また、本発明の第４の実施形態として、情報処理端末４００を挙げて説明したが、本発明の第４の実施形態は、係る形態に限られず、ＩＣカードなどのユーザが操作可能なインタフェースを元来有していない様々な装置に適用することができる。
【０１４５】
（第５の実施形態）
本発明の第４の実施形態に係る情報処理端末４００では、データ領域選択手段としての選択用操作入力デバイス１０２を新たに情報処理端末に設けた。しかしながら、本発明の第２の実施形態のように、情報処理端末に新たにデータ領域選択手段としての選択用操作入力デバイスを設けることなく、情報処理端末が元から備えているユーザが操作可能なインタフェースを、データ領域選択手段として利用することもできる。そこで、本発明の第５の実施形態では、ユーザが操作可能なインタフェースを備えている情報処理端末について説明する。
【０１４６】
本発明の第５の実施形態に係る情報処理端末は、本発明の第２の実施形態に係る情報処理端末２００と同様の汎用の操作入力デバイスと外部コントローラとを有し、本発明の第４の実施形態に係る情報処理端末４００と同様のデータ書き込み手段を備える。つまり、本発明の第５の実施形態に係る情報処理端末は、本発明の第２の実施形態に係る情報処理端末２００と同様に選択信号を保持し、そして、当該選択信号を用いることにより、本発明の第４の実施形態に係る情報処理端末４００と同様のデータ書き込み機能が実現される。
【０１４７】
したがって、本発明の第５の実施形態に係る情報処理端末は、データ領域選択手段としての汎用の操作入力デバイスを用いて、ユーザに複数のデータ領域から所望するデータ領域を選択させるをことを可能とする。データ書き込み手段は、命令受信手段が受信した、リーダ／ライタから送信される書き込み命令が指定する情報処理端末の特定のデータ領域を、データ領域選択手段としての汎用の操作入力デバイスで選択されたデータ領域に変更し、変更されたデータ領域へ、リーダ／ライタから送信されるデータを書き込む。そして、データ書き込み手段は、書き込み処理の成否に応じた応答データをデータ送信手段に伝達し、データ送信手段は、応答データをリーダ／ライタへ送信する。したがって、本発明の第５の実施形態に係る情報処理端末は、リーダ／ライタから情報処理端末へ送信されるデータが保存されるデータ領域を、選択的に変更し、当該データを選択されたデータ領域へ保存することができる。
【０１４８】
また、本発明の第５の実施形態として、情報処理端末を挙げて説明したが、本発明の第５の実施形態は、係る形態に限られず、ＩＣカードチップを搭載した携帯電話をはじめとする携帯型通信装置や、ＩＣカードチップを搭載したＰＤＡなどのコンピュータなど、ユーザが操作可能なインタフェースを装置そのものに備えている様々な装置に適用することができる。
【０１４９】
（第６の実施形態）
上述したように、本発明の第４の実施形態では、データ領域選択手段としての選択用操作入力デバイス１０２を新たに情報処理端末に設け、また、本発明の第５の実施形態では、情報処理端末が備えている汎用の操作入力デバイスを、データ領域選択手段として用いた。本発明の第６の実施形態では、本発明の第３の実施形態と同様に、本発明の第４の実施形態のデータ領域選択手段と、本発明の第５の実施形態のデータ領域選択手段とを併せた情報処理端末について説明する。
【０１５０】
本発明の第６の実施形態に係る情報処理端末は、データ領域選択手段として、本発明の第３の実施形態と同様の選択用操作入力デバイスと汎用の操作入力デバイスとを有し、本発明の第４の実施形態に係る情報処理端末４００と同様のデータ書き込み手段を備える。つまり、本発明の第６の実施形態に係る情報処理端末は、本発明の第３の実施形態に係る情報処理端末３００と同様に選択信号を保持し、そして、当該選択信号を用いることにより、本発明の第４の実施形態に係る情報処理端末４００と同様のデータ書き込み機能が実現される。
【０１５１】
したがって、本発明の第６の実施形態に係る情報処理端末は、データ領域選択手段としての選択用操作入力デバイス、または、汎用の操作入力デバイスを用いて、ユーザに複数のデータ領域から所望するデータ領域を選択させるをことを可能とする。データ書き込み手段は、命令受信手段が受信した、リーダ／ライタから送信される書き込み命令が指定する情報処理端末の特定のデータ領域を、データ領域選択手段としての選択用操作入力デバイス、または、汎用の操作入力デバイスで選択されたデータ領域に変更し、変更されたデータ領域へ、リーダ／ライタから送信されるデータを書き込む。そして、データ書き込み手段は、書き込み処理の成否に応じた応答データをデータ送信手段に伝達し、データ送信手段は、応答データをリーダ／ライタへ送信する。したがって、本発明の第６の実施形態に係る情報処理端末は、リーダ／ライタから情報処理端末へ送信されるデータが保存されるデータ領域を、選択的に変更し、当該データを選択されたデータ領域へ保存することができる。
【０１５２】
また、本発明の第６の実施形態として、情報処理端末を挙げて説明したが、本発明の第６の実施形態は、係る形態に限られず、ＩＣカードチップを搭載した携帯電話をはじめとする携帯型通信装置や、ＩＣカードチップを搭載したＰＤＡなどのコンピュータなど、ユーザが操作可能なインタフェースを装置そのものに備えている様々な装置に適用することができる。
【０１５３】
（データの選択的な書き込み用プログラム）
上述した本発明の第４の実施形態、または、本発明の第５の実施形態、または、本発明の第６の実施形態に示す情報処理端末をコンピュータとして機能させるためのプログラムにより、リーダ／ライタから送信されたデータを、情報処理端末のデータ領域に選択的に書き込むことが可能な、無線通信システムが実現される。
【０１５４】
以上説明した本発明の第４の実施形態、または、本発明の第５の実施形態、または、本発明の第６の実施形態に示す無線通信システムは、複数の電子マネーバリューを蓄えることができる携帯電話などに適用することができる。
【０１５５】
本発明の実施形態に係るリーダ／ライタとしての電子マネーバリューをチャージさせることが可能な装置と、本発明の実施形態に係る情報処理端末としての携帯電話とを組み合わせた無線通信システムでは、財布の中で用途に応じてお金を小分けするように、ユーザが選択した携帯電話内のデータ領域に電子マネーバリューを蓄えることができる。
【０１５６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１５７】
例えば、上記の本発明の第１の実施形態に係る情報処理端末１００では、データ送信手段１１２と命令受信手段１１４とを別体の手段として説明したが、係る形態に限られず、データ送信手段１１２と命令受信手段１１４とを一体の手段としてもよい。データ送信手段１１２と命令受信手段１１４とを一体の手段とすることにより、消費電力の低減や、設置に必要な空間の減少、部品数の削減など、様々な効果が得られる。
【０１５８】
また、上記の本発明の第４の実施形態に係る情報処理端末４００では、データ領域選択手段として、選択用操作入力デバイス１０２を用いることを説明したが、係る形態に限られず、さらに、認証用の操作入力デバイスを設けることもできる。認証用の操作入力デバイスを備えることにより、選択的な書き込み機能を使用できるユーザを限定させることができ、情報処理端末に書き込まれるデータを、情報処理端末の使用権限を有するユーザがコントロールすることができる。
【０１５９】
さらには、上記の本発明の第１〜第３の実施形態では、データ読み出し手段１２０を備える情報処理端末について説明し、また、上記の本発明の第４〜第６の実施形態では、データ書き込み手段４１２を備える情報処理端末について説明したが、係る形態に限られず、本発明に係る情報処理端末は、データ読み出し手段１２０と、データ書き込み手段４１２との両方を備えるとしてもよい。かかる構成により、ユーザが情報処理端末に選択的にデータを書き込ませることができ、また、選択的に書き込まれたデータを、選択的に読み出させることができる。したがって、例えば、ユーザが、電子マネーバリューを、２つのデータ領域に分けて蓄え、購入する商品に応じて、蓄えた電子マネーバリューを使い分けることが可能となるなど、ユーザにさらなる利便性を提供することが可能となる。なお、本発明の第１〜第３の実施形態に係るデータ読み出し手段１２０と、本発明の第４〜第６の実施形態に係るデータ書き込み手段４１２とを一体の手段とすることができることは、言うまでもない。
【０１６０】
以上に示した構成は、当業者が容易に変更し得る程度のことであり、本発明の等価範囲に属するものと理解すべきである。
【図面の簡単な説明】
【０１６１】
【図１】本発明の第１の実施形態に係る読み書き装置と情報処理端末とで構成される送受信システムを示すブロック図である。
【図２】本発明の第１の実施形態に係るデータ読み出し手段が備えるデータ読み出し機能を説明する説明図である。
【図３】本発明の第１の実施形態に係るデータ読み出し手段におけるデータ読み出し処理の流れの一形態を示す流れ図である。
【図４】本発明の第２の実施形態に係る読み書き装置と情報処理端末とで構成される送受信システムを示すブロック図である。
【図５】本発明の第３の実施形態に係る読み書き装置と情報処理端末とで構成される送受信システムを示すブロック図である。
【図６】本発明の第３の実施形態に係る選択信号保持手段における選択信号保持処理の流れの一形態を示す流れ図である。
【図７】本発明の第４の実施形態に係る読み書き装置と情報処理端末とで構成される送受信システムを示すブロック図である。
【図８】本発明の第４の実施形態に係るデータ書き込み手段が含むデータ書き込み機能を説明する説明図である
【図９】従来のリーダ／ライタと、従来の情報処理端末に所望するデータを送信するための入力デバイスを適用した情報処理端末とで構成される送受信システムを示すブロック図である。
【符号の説明】
【０１６２】
１０、１００、２００、３００、４００  情報処理端末
１２、２０２    汎用の操作入力デバイス
２２、１１２    データ送信手段
２４、１１４    命令受信手段
３０、１２４    データ記憶手段
５２、１７２、４５２    データ受信手段
５４、１７４、４５４    命令送信手段
１０２    選択用操作入力デバイス
１１６、２１２、３１２  選択信号保持手段
１２０    データ読み出し手段
１７０、４５０  読み書き装置
４１２    データ書き込み手段
【図１】
2007316869.tif 000003
【図２】
2007316869.tif 000004
【図３】
2007316869.tif 000005
【図４】
2007316869.tif 000006
【図５】
2007316869.tif 000007
【図６】
2007316869.tif 000008
【図７】
2007316869.tif 000009
【図８】
2007316869.tif 000010
【図９】
2007316869.tif 000011